(57)【要約】【課題】この発明は、本体内の空きスペースに火災検知器を配置するようにし、コンクリート躯体への火災検知器の煩雑な設置作業を不要とし、設置コストを低減できる消火栓装置を得る。【解決手段】消火栓装置１は、前面を開口する箱形の筐体２と、筐体２の前面に取り付けられる前面パネル３と、前面パネル３に形成された開口部３ａ，３ｂを開閉可能に前面パネル３に取り付けられる消火栓扉１０、保守扉１１および消火器扉１７と、を備え、消火用ホース４を収納するホース収納部が筐体２内に設けられ、取付架台が、ホース収納部の幅方向の側方に、機器載置面を前方に向けて、筐体２に固定され、火災検知器２０が、受光ガラス２２を筐体２から前面側に突出させて、機器載置面に載置されて取付架台に取り付けられ、火災検知器カバー１２が、火災検知器２０の前面側から、受光ガラス２２を突出させて、取付架台に取り付けられている。【選択図】図１
2015080544.tif 000002
【特許請求の範囲】
【請求項１】
前面を開口する箱形の筐体と、上記筐体の前面に取り付けられる前面パネルと、上記前面パネルに形成された開口部を開閉可能に上記前面パネルに取り付けられる扉体と、を備え、消火用ホースを収納するホース収納部が上記筐体内に設けられる消火栓装置において、
取付架台が、上記ホース収納部の幅方向の側方に、機器載置面を前方に向けて、上記筐体に固定され、
火災検知器が、光学窓を上記筐体から前面側に突出させて、上記機器載置面に載置されて上記取付架台に取り付けられ、
火災検知器カバーが、上記火災検知器の前面側から、上記光学窓を突出させて、上記取付架台に取り付けられていることを特徴とする消火栓装置。
【請求項２】
上記取付架台が、上記筐体の天板および背面板に固着されて、上記筐体内の上部側、かつ幅方向の端部側に設置され、
上記消火用ホースに消火用水を供給する配管系統が、上記筐体内の上記取付架台の下部に設けられていることを特徴とする請求項１記載の消火栓装置。
【請求項３】
上記扉体は、上記火災検知器カバーに隣接して、上端が軸方向を幅方向とする軸周りに上記開口部の上縁部に回動可能に取り付けられ、上記ホース収納部の上部側を開閉する保守扉を備え、
上記保守扉の閉動作時に、上記保守扉の背面に当接して、上記保守扉の閉位置を定める受け部材が上記取付架台に設けられ、
上記保守扉に設けられた係止部と係合して上記保守扉を閉位置に保持する被係止部が上記取付架台に設けられていることを特徴とする請求項１または２記載の消火栓装置。
【請求項４】
上記取付架台から上記火災検知器の外周側を通って前面側に延出され、上記火災検知器カバーが取り付けられる取付金具と、
上記火災検知器カバーの取付位置を位置決めする位置決め部と、を備えていることを特徴とする請求項１乃至請求項３のいずれか１項に記載の消火栓装置。
【請求項５】
赤色表示灯が、上記火災検知器に対して上記ホース収納部を挟んで上記筐体の前面側に配設されていることを特徴とする請求項１乃至請求項４のいずれか１項に記載の消火栓装置。
【発明の詳細な説明】
【技術分野】
【０００１】
この発明は、例えば高速自動車道等のトンネルに設置される消火栓装置に関し、特に火災検知器を備えた消火栓装置に関するものである。
【背景技術】
【０００２】
従来、高速自動車道のトンネルでは、車線の路面に対して蒲鉾状のコンクリート躯体が構築され、一方の路肩には、所定の高さをもった監視員通路が構築されている。そして、トンネル内で発生する火災事故から人身および車両を守るため、火災の監視のための火災検知器、火災の消火のための消火栓装置などの非常用設備が設置されている。火災検知器は、コンクリート躯体の壁面に所定の間隔毎に設置されている。消火栓装置は、監視員通路から操作可能なコンクリート躯体の壁面に凹設された箱抜き内に配置されて、所定の間隔毎に設置されている（例えば、特許文献１参照）。
【先行技術文献】
【特許文献】
【０００３】
【特許文献１】特開２００１−９０５３号公報
【発明の概要】
【発明が解決しようとする課題】
【０００４】
従来のトンネルでは、火災検知器および消火栓装置を設置するためには、それぞれ、コンクリート躯体の壁面にアンカーボルトなどを用いて個別に固定する必要があり、設置作業が煩雑で設置コストが高くなるという課題があった。
【０００５】
この発明は、上記の課題を解決するためになされたものであり、本体内の空きスペースに火災検知器を配置するようにし、コンクリート躯体への火災検知器の煩雑な設置作業を不要とし、設置コストを低減できる消火栓装置を得ることを目的とする。
【課題を解決するための手段】
【０００６】
この発明による消火栓装置は、前面を開口する箱形の筐体と、上記筐体の前面に取り付けられる前面パネルと、上記前面パネルに形成された開口部を開閉可能に上記前面パネルに取り付けられる扉体と、を備え、消火用ホースを収納するホース収納部が上記筐体内に設けられる。そして、取付架台が、上記ホース収納部の幅方向の側方に、機器載置面を前方に向けて、上記筐体に固定され、火災検知器が、光学窓を上記筐体から前面側に突出させて、上記機器載置面に載置されて上記取付架台に取り付けられ、火災検知器カバーが、上記火災検知器の前面側から、上記光学窓を突出させて、上記取付架台に取り付けられている。
【発明の効果】
【０００７】
この発明によれば、火災検知器が、消火栓装置の本体内の空きスペースを利用して、本体内に設置されているので、火災検知器をコンクリート躯体に取り付ける煩雑な作業が不要となり、トンネル内の非常用設備の設置コストを低減できる。
また、火災検知器と火災検知器カバーが、筐体に固定された取付架台に取り付けられているので、火災検知器と火災検知器カバーを取付架台に前方から順次取り付けることができ、火災検知器と火災検知器カバーの取り付け作業性が高められる。
【図面の簡単な説明】
【０００８】
【図１】この発明の実施の形態１に係る消火栓装置を示す正面図である。
【図２】この発明の実施の形態１に係る消火栓装置の消火栓扉を開けた状態を示す一部破断上面図である。
【図３】この発明の実施の形態１に係る消火栓装置の消火栓扉を開けた状態を示す側面図である。
【図４】この発明の実施の形態１に係る消火栓装置に装備される火災検知器を示す斜視図である。
【図５】この発明に実施の形態１に係る消火栓装置における火災検知器カバーを示す正面図である。
【図６】この発明に実施の形態１に係る消火栓装置における火災検知器の取付架台を示す正面図である。
【図７】この発明に実施の形態１に係る消火栓装置における火災検知器の取付架台を示す左側面図である。
【図８】この発明に実施の形態１に係る消火栓装置における火災検知器の取付架台を示す右側面図である。
【図９】この発明に実施の形態１に係る消火栓装置における火災検知器の取付架台を示す上面図である。
【図１０】この発明に実施の形態１に係る消火栓装置における火災検知器の取付架台を示す下面図である。
【図１１】この発明に実施の形態１に係る消火栓装置における火災検知器の取付架台への取り付け方法を説明する図である。
【発明を実施するための形態】
【０００９】
以下、本発明の消火栓装置の好適な実施の形態につき図面を用いて説明する。
【００１０】
実施の形態１．
図１はこの発明の実施の形態１に係る消火栓装置を示す正面図、図２はこの発明の実施の形態１に係る消火栓装置の消火栓扉を開けた状態を示す一部破断上面図、図３はこの発明の実施の形態１に係る消火栓装置の消火栓扉を開けた状態を示す側面図、図４はこの発明の実施の形態１に係る消火栓装置に装備される火災検知器を示す斜視図である。
【００１１】
図１から図３において、消火栓装置１は、火災の消火の機能に加えて、火災の監視と通報の機能を備えた非常用設備であり、前面を開口する直方体の箱形に作製された筐体２と、筐体２の前面に締着固定され、筐体２の前面に取り付けられる前面パネル３と、を備えている。先端に消火用ノズル４ａを有し、ホース収納部としてのホースバケット５に内巻きに巻かれた消火用ホース４が、筐体２と前面パネル３とからなる本体の内部中央部に収納されている。消火器６および各種電気機器が本体内の消火用ホース４の収納部の本体幅方向一側に収納されている。自動調圧弁８および消火栓弁９などを備えた配管系統７が、本体内の消火用ホース４の収納部の本体幅方向他側の下部側に収納され、消火栓弁９の二次側が消火用ホース４に接続されている。
【００１２】
前面パネル３には、消火用ホース４および配管系統７などに面する、開口形状を長方形とする開口部３ａ、および消火器６に面する、開口形状を長方形とする開口部３ｂが設けられている。扉体としての保守扉１１が、開口部３ａの上端縁部に本体幅方向を回転軸方向とする蝶番（図示せず）により、開口部３ａの上部側を、その幅方向他側を残して開閉可能に取り付けられている。火災検知器カバー１２が、保守扉１１の幅方向他側に配設されている。そして、扉体としての消火栓扉１０が開口部３ａの下端縁部に本体幅方向を回転軸方向とする蝶番（図示せず）により、開口部３ａの保守扉１１および火災検知器カバー１２の下部側を開閉可能に取り付けられ、消火栓弁９を開閉する消火栓弁開閉レバー１３が消火栓扉１０の裏面に設置されている。なお、消火栓扉１０、保守扉１１および火災検知器カバー１２は前面パネル３と略面一となり、開口部３ａを塞口している。
【００１３】
また、電気機器取付板１４が、四隅を前面パネル３に締着固定され、開口部３ｂの開口部３ａ側（本体幅方向他側）に上下方向に延びるように配設されている。この電気機器取付板１４には、赤色表示灯１５、非常用発信器１６等が取り付けられ、電話ジャック、非常用コンセントなどの電気機器を備えている。赤色表示灯１５は、消火栓装置１の設置位置を明示するものであり、電気機器取付板１４の上方位置に突設され、前面パネル３の前面から突出している。非常用発信器１６は、火災事故の際に押しボタン操作を行うと、監視センター（図示せず）に対し火災の通報が行われる。監視センターで非常用発信器１６からの火災通報が受信されると、点滅信号が送信されて、常時点灯状態にあった赤色表示灯１５が点滅するようになる。
【００１４】
扉体としての消火器扉１７が、開口部３ｂの本体幅方向の一側縁部に上下方向を回転軸方向とする蝶番（図示せず）により開閉可能に取り付けられている。なお、電気機器取付板１４と消火器扉１７は前面パネル３と略面一となり、開口部３ｂを塞口している。
【００１５】
火災検知器２０は、図４に示されるように、取付部２４が幅方向両側に突設された検知器本体２１と、ラグビーボール状、半球状などの凸状に成形され、検知器本体２１の前面に突設された光学窓としての受光ガラス２２と、検知器本体２１の前面の受光ガラス２２の上部両側に突設されたグローブ２３と、を備えている。火災検知器２０は、受光ガラス２２およびグローブ２３を火災検知器カバー１２に形成された穴２９ａ，２９ｂから前面側に突出させて、本体内に配設されている。この火災検知器２０には、例えば、特開２００３−２９６８４９号公報に記載されているような周知の検知器が用いられるので、その詳細な構成の説明を省略するが、火災の炎から発する波長を検出する検出素子および検出回路からなる火災検出部が受光ガラス２２の内部に配設され、受光ガラス汚損確認試験用発光部がグローブ２３の内部に配設され、火災検知器２０の全体を制御するマイクロコンピュータ、ＲＯＭ、ＲＡＭ、出力回路、入力回路、定電圧部などが検知器本体２１内に収納されている。
【００１６】
つぎに、火災検知器２０の取り付け構造について図５乃至図１０を参照しつつ説明する。図５はこの発明に実施の形態１に係る消火栓装置における火災検知器カバーを示す正面図、図６はこの発明に実施の形態１に係る消火栓装置における火災検知器の取付架台を示す正面図、図７はこの発明に実施の形態１に係る消火栓装置における火災検知器の取付架台を示す左側面図、図８はこの発明に実施の形態１に係る消火栓装置における火災検知器の取付架台を示す右側面図、図９はこの発明に実施の形態１に係る消火栓装置における火災検知器の取付架台を示す上面図、図１０はこの発明に実施の形態１に係る消火栓装置における火災検知器の取付架台を示す下面図、図１１はこの発明に実施の形態１に係る消火栓装置における火災検知器の取付架台への取り付け方法を説明する図である。なお、説明の便宜上、図６において、図中の上下方向および左右方向を上下方向および幅方向とした。また、図７において、図中の上下方向および左右方向を上下方向および前後方向とし、図中右方向および左方向を前方および後方とした。
【００１７】
火災検知器カバー１２は、裏面側を開口した略箱形形状であって、図５に示されるように、鋼板を矩形平板状に作製され、各辺を裏面側に折り返して剛性を高めている。そして、火災検知器カバー１２には、受光ガラス２２を通す穴２９ａが中央部に形成され、グローブ２３を通す穴２９ｂが穴２９ａの一側２箇所に形成され、取付穴２９ｃが四隅に形成されている。
【００１８】
取付架台３０は、図６乃至図１０に示されるように、鋼材を加工して作製され、それぞれ断面Ｌ字状に作製され、Ｌ字状の一片（一方の面）を前方に向け、かつＬ字状の他片（他方の面）を外側に向けて、幅方向に離間して平行に配置された一対の縦梁３１と、それぞれ断面Ｌ字状に作製され、Ｌ字状の一片を下方に向け、かつＬ字状の他片を外側に向けて、幅方向に離間して平行に配置され、一対の縦梁３１のそれぞれの下端から後方に延出する一対の横梁３２と、断面Ｌ字状に作製され、Ｌ字状の一片を前方に向け、かつＬ字状の他片を下方に向けて幅方向に配置され、縦梁３１と横梁３２との連結部間を連結する連結梁３３と、を備える。
【００１９】
一対の縦梁３１と連結梁３３のそれぞれの前方を向くＬ字状の一片が、面一となり、コ字状の機器載置面を構成する。そして、取付ボルト３４が、一対の縦梁３１のそれぞれの前方を向くＬ字状の一片の中央部に、後方から当該一片を貫通して前方に突出するように取り付けられている。取付金具３５が、火災検知器２０の外周側を通って前面側に突設されるように、一対の縦梁３１のそれぞれの前方を向くＬ字状の一片の上端側と下端に、前方に突出するように取り付けられている。取付金具３５は、縦梁３１から前方へ延びる基部３５ａと、基部３５ａの先端から直角に幅方向外方に延びる水平部３５ｂと、水平部３５ｂの先端から直角に前方へ延びる位置決め部３５ｃとにより構成される。水平部３５ｂと位置決め部３５ｃとは、略Ｌ字状の段部である。火災検知器カバー１２を締着固定するためのナット３５ｄが取付金具３５の水平部３５ｂの裏側に固着されている。取付金具３５の先端に形成された位置決め部３５ｃ（略Ｌ字状の段部）は、火災検知器カバー１２の四辺の折り返し片の角部に係合して火災検知器カバー１２の位置決めを行う。
【００２０】
取付片３６が、一対の縦梁３１のＬ字状の他片の上端を内向きに直角に折り曲げて、互いに向き合うように形成されている。取付片３７が、一対の横梁３２のＬ字状の一片の後端を内向きに直角に折り曲げて、上方を向くように形成されている。被係止部としての係止穴３８が、図６中、左側の縦梁３１のＬ字状の他片の下端を貫通するように形成され、受け部材としての受け板３９が、左側の縦梁３１のＬ字状の他片の係止穴３８から後方に所定距離離間した位置に、当該他片から直角に幅方向外方に突出するように取り付けられている。
【００２１】
取付架台３０は、前面を開口する直方体の箱形に作製された筐体２の天板に一対の縦梁３１の上端に形成された取付片３６をねじ止め、又は溶接などにより固着し、さらに筐体２の背面板に、一対の横梁３２の後端に形成された取付片３７をねじ止め、又は溶接などにより固着して、機器載置面を前方に向けて、本体の上部側の幅方向他側に設置される。そして、火災検知器２０が、図１１に示されるように、取付部２４の貫通穴に取付ボルト３４を通して取付架台３０の機器載置面に載置され、取付ボルト３４の延出部にナット４０を締着して取り付けられる。さらに、火災検知器カバー１２が、前方から、穴２９ａ，２９ｂに受光ガラス２２およびグローブ２３を通して取付金具３５に宛がわれる。このとき、４つの取付金具３５の位置決め部３５ｃの内側に、火災検知器カバー１２の四辺の折り返し片の角部が嵌め込まれ、火災検知器カバー１２が位置決めされる。そこで、取付ボルト４１を取付穴２９ｃに通して、取付金具３５のナット３５ｄに締着して、火災検知器カバー１２が取り付けられる。
【００２２】
なお、図示していないが、係止部としての係止ピンが保守扉１１の裏面下端の幅方向の両端部に幅方向に移動可能に設置され、係止穴が電気機器取付板１４に形成されている。そして、保守扉１１を閉じたときに、保守扉１１の背面が受け板３９に当たり、それ以上の回動が阻止され、保守扉１１が閉位置に位置決めされる。同時に、係止ピンと係止穴３８の位置合わせが行われる。そこで、係止ピンを保守扉１１から延出させて係止穴３８に挿入し、保守扉１１を閉状態に保持できるようになっている。このように、係止ピンと係止穴による丸落とし機構が、保守扉１１と取付架台３０との間、同様に保守扉１１と電気機器取付板１４との間に装備されている。
【００２３】
このように構成された消火栓装置１は、図示していないが、高速自動車道のトンネルの一方の路肩に構築された監視員通路から操作可能なコンクリート躯体の壁面に凹設された箱抜き内に配置されて、所定の間隔（例えば、５０ｍ）毎に設置される。このとき、消火栓装置１は、赤色表示灯１５および火災検知器２０の受光ガラス２２がコンクリート躯体の壁面から突出するように、設置される。そして、図示していないが、監視員通路の下部に構築されたダクト内に敷設された配水本管から分岐した分岐配管が配管系統７に接続される。
【００２４】
この消火栓装置１では、赤色表示灯１５が、電気機器取付板１４の上方位置に突設され、コンクリート躯体の壁面から突出するように、設置され、常時点灯している。そして、トンネル内で火災が発生すると、火災の炎から発する光が受光ガラス２２から入射され、検知器本体２１内の回路部が受光ガラス２２から入射光に基づいて火災の発生を判定する。そして、火災発生と判定されると、火災検知信号が火災検知器２０から監視センターに出力される。そして、監視センターでトンネル内での火災発生の確認が行われると、点滅信号が送信されて、常時点灯状態にあった赤色表示灯１５が点滅し、火災の発生を報知する。
【００２５】
そして、取扱者が、消火栓装置１の設置場所に急行し、消火栓扉１０を開けて消火用ノズル４ａを取り出し、消火栓弁開閉レバー１３を手前に引く。これにより、消火栓弁９が開放し、消火用ノズル４ａから消火水の放水が開始される。そこで、取扱者は、消火用ノズル４ａを持ちながら火災現場に向けて消火用ホース４を引き出し、消火を行う。
【００２６】
この発明によれば、消火栓装置１の本体内の配管系統７の上部側の空きスペースを利用して、火災検知器２０を本体内に設置しているので、火災検知器２０をコンクリート躯体に取り付ける煩雑な作業が不要となり、トンネル内の非常用設備の設置コストを低減できる。
【００２７】
筐体２に取り付けられた取付架台３０に、火災検知器２０と火災検知器カバー１２を取り付けるようになっている。そのため、火災検知器２０と火災検知器カバー１２を取付架台３０に前方から順次取り付けることができるので、火災検知器２０と火災検知器カバー１２の取り付け作業性が高められる。
【００２８】
消火用ホース４に消火用水を供給する配管系統７が本体内のホース収納部の本体幅方向他側、かつ下部側に配設され、取付架台３０が配管系統７の上部側に配設されているので、取付架台３０が本体内の空きスペースに配置され、消火栓装置１の小型化が図られる。
【００２９】
保守扉１１を閉状態に保持する丸落とし機構を構成する係止穴３８が取付架台３０に形成されているので、係止穴３８を形成する部材を新たに設ける必要がなく、部品点数を削減できる。さらに、保守扉１１の裏面に当接して保守扉１１の閉位置を定めるとともに、係止ピンと係止穴３８の位置合わせを行う受け板３９が取付架台３０に配設されているので、保守扉１１の施錠操作が簡易となる。
【００３０】
取付金具３５が取付架台３０から火災検知器２０の外周側を通って前面側に突設され、火災検知器カバー１２が前面側から取付金具３５に取り付けられるようになっている。そこで、火災検知器２０と火災検知器カバー１２の取り付け基準が取付架台３０となり、火災検知器２０と火災検知器カバー１２の取り付けが容易となる。さらに、火災検知器カバー１２の取付位置を位置決めする位置決め部３５ｃが取付金具３５に設けられているので、火災検知器カバー１２の取り付けがさらに容易となる。
【００３１】
また、受光ガラス２２が消火用ホース４の収納部を挟んで赤色表示灯１５と反対側に配置されているので、赤色表示灯１５と火災検知器２０との間の距離が長くなる。そこで、赤色表示灯１５による、火災検知器２０による監視エリアの縮小が抑えられる。
【００３２】
なお、上記実施の形態１では、保守扉の施錠構造として丸落とし機構を用いているが、保守扉の施錠構造は、丸落とし機構に限定されず、保守扉に配設された係止部を取付架台に配設された被係止部に係止できる機構であればよい。
また、構成機器の並びは、左右対称の位置でもよい。
【符号の説明】
【００３３】
１  消火栓装置、２  筐体、３  前面パネル、３ａ，３ｂ  開口部、４  消火用ホース、４ａ  消火用ノズル、７  配管系統、１０  消火栓扉（扉体）、１１  保守扉（扉体）、１２  火災検知器カバー、１５  赤色表示灯、１７  消火器扉（扉体）、２０  火災検知器、２２  受光ガラス（光学窓）、３０  取付架台、３５  取付金具、３５ｃ  位置決め部、３８  係止穴（被係止部）３９  受け板（受け部材）。
【図１】
2015080544.tif 000003
【図２】
2015080544.tif 000004
【図３】
2015080544.tif 000005
【図４】
2015080544.tif 000006
【図５】
2015080544.tif 000007
【図６】
2015080544.tif 000008
【図７】
2015080544.tif 000009
【図８】
2015080544.tif 000010
【図９】
2015080544.tif 000011
【図１０】
2015080544.tif 000012
【図１１】
2015080544.tif 000013